(57)【要約】
【課題】　広帯域増幅器の高域側利得を補正するためのピーキング回路によってバイパス回路の伝送特性が劣化するのを防止する。
【解決手段】　広帯域増幅器３と、広帯域増幅器３の出力側に設けられたピーキング回路４と、広帯域増幅器３の入力端とピーキング回路４の出力端との間に介挿され、テレビジョン信号をスルーさせるバイパスダイオード６ａとを備え、広帯域増幅器３又はバイパスダイオード６ａはいずれか一方がテレビジョン信号を通過させるように切り替えられ、ピーキング回路４は広帯域増幅器３の出力端に一端が接続されて該出力端をシャントする容量素子４ａを少なくとも有し、広帯域増幅器３の動作時には容量素子４ａの他端を接地し、バイパスダイオード６ａのオン時には容量素子４ａの他端を接地から切り離した。
【選択図】　　　　図１
0003099778.tif 000002
【実用新案登録請求の範囲】
【請求項１】
入力されたテレビジョン信号を増幅する広帯域増幅器と、前記広帯域増幅器の出力側に設けられ、前記広帯域増幅器の高域側の利得を増強するピーキング回路と、前記広帯域増幅器の入力端と前記ピーキング回路の出力端との間に介挿され、前記テレビジョン信号をスルーさせるバイパスダイオードとを備え、前記広帯域増幅器又は前記バイパスダイオードはいずれか一方が前記テレビジョン信号を通過させるように切り替えられ、前記ピーキング回路は前記広帯域増幅器の出力端に一端が接続されて該出力端をシャントする容量素子を少なくとも有し、前記広帯域増幅器の動作時には前記容量素子の他端を接地し、前記バイパスダイオードのオン時には前記容量素子の他端を接地から切り離したことを特徴とするテレビジョンチューナ。　
【請求項２】
前記広帯域増幅器の動作切替と前記バイパスダイオードのオン／オフ切替を行う切替回路を有し、前記バイパスダイオードのアノードにバイアス電圧を印加すると共にカソードを直流的に接地し、前記切替回路はエミッタが接地され、ベースに切替電圧が入力されるＮＰＮ型の第一のスイッチトランジスタと、エミッタに電源電圧が印加され、コレクタが前記広帯域増幅器の増幅素子と前記バイパスダイオードのカソードに接続され、ベースが前記第一のスイッチトランジスタのコレクタに接続されたＰＮＰ型の第二のスイッチトランジスタとを有し、前記容量素子の端を前記第一のスイッチトランジスタのコレクタに接続したことを特徴とする請求項１に記載のテレビジョンチューナ。
【請求項３】
前記増幅素子にはバイアス回路からバイアス電圧を供給し、前記バイパスダイオードのカソードを前記バイアス回路を介して接地したことを特徴とする請求項２に記載のテレビジョンチューナ。　
【請求項４】
前記テレビジョン信号に同調可能な入力同調回路を有し、前記ピーキング回路の出力端に分配器を接続し、一方の分配出力を前記入力同調回路に接続し、他方の分配出力を外部接続用のコネクタに接続したことを特徴とする請求項３に記載のテレビジョンチューナ。
【考案の詳細な説明】
【技術分野】
【０００１】
　この考案は、入力同調回路の前段に広帯域増幅器とバイパス回路と並設したテレビジョンチューナに関する。
【背景技術】
【０００２】
　図２は、入力同調回路の前段に広帯域増幅器とバイパス回路と並設したテレビジョンチューナの主要部分を示す。アンテナ接続端子３１には中間周波減衰フィルタ等のフィルタ回路３２が接続される。フィルタ回路３２の次段には広帯域増幅器３３が設けられ、広帯域増幅器３３の出力側にはピーキング回路３４が接続される。また、ピーキング回路３４には分配器３５が結合される。そして、広帯域増幅器３３の入力端とピーキング回路３４の出力端との間にはバイパス回路３６が介挿される。
【０００３】
　広帯域増幅器３３は増幅用のトランジスタ３３ａを有してエミッタ接地増幅器を構成し、そのベースには抵抗３３ｂ、３３ｃ、３３ｄからなるバイアス回路からバイアス電圧が印加される。トランジスタ３３ａのコレクタに接続されるピーキング回路３４は広帯域増幅器３３の高域側の利得を増強し、広帯域増幅器３３の出力端であるトランジスタ３３ａのコレクタをシャントする容量素子３４ａと、容量素子３４ａと共にＬ型回路を構成してコレクタと分配器３５との間に直列に介挿されたインダクタンス素子３４ｂとからなる。そして、広帯域増幅器３３は入力されたテレビジョン信号が所定レベル以下の時にこれを増幅する。
【０００４】
　バイパス回路３６はバイパスダイオード３６ａを有し、そのアノードは分配器３５に結合され、カソードは広帯域増幅器３３の入力端に結合される。そして、バイパス回路３６はテレビジョン信号が所定レベル以上の時にバイパスダイオード３６ａがオンとなってテレビジョン信号を分配器３５に出力する。
【０００５】
　分配器３５の一方の分配出力は入力同調回路３７に結合され、他方の分配出力はコネクタ３８に接続される。コネクタ３８には図示しない他のチューナ等が接続される。入力同調回路３７はスイッチダイオード３７ａを有し、受信バンドに対応して同調周波数帯が切り替えられる。その切替のために必要なバイアス電圧は入力同調回路３７で作られてスイッチダイオード３７ａに印加されている。このバイアス電圧はバイパスダイオード３６ａのアノードにも印加される。
【０００６】
　広帯域増幅器３３の動作を切替と、バイパスダイオード３６ａのオン／オフ切替は切替回路３９によって制御される。切替回路３９はＮＰＮ型の第一のスイッチトランジスタ３９ａとＰＮＰ型の第二のスイッチトランジスタ３９ｂとを有し、第一のスイッチトランジスタ３９ａのエミッタは接地され、ベースに切替電圧Ｅｓが印加される。第二のスイッチトランジスタ３９ｂのエミッタには電源電圧Ｖｃｃが印加され、ベースは第一のスイッチトランジスタ３９ａのコレクタに接続される。そして、コレクタがインダクタンス素子４０とピーキング回路３４とを介してトランジスタ３３ａのコレクタに供給される。同時にバイアス回路用の抵抗３３ｂ、３３ｃ、３３ｄにも供給される。また、バイパスダイオード３６ａのカソードは第二のスイッチトランジスタ３９ｂのコレクタに接続される。
【０００７】
　以上の構成において、テレビジョン信号が所定レベル以下のときには切替電圧によって第一のスイッチトランジスタ３９ａがオンになると第二のスイッチトランジスタ３９ｂもオンとなり、広帯域増幅３３は電源電圧が供給されて動作状態となる。同時に、バイパスダイオード３６ａはカソードに電源電圧が印加されるのでオフとなる。従って、テレビジョン信号は広帯域増幅器３３によって増幅されて分配器３５に入力される。この時、広帯域増幅器３３の高域側利得はピーキング回路３４によって増強される。
【０００８】
　一方、テレビジョン信号が所定レベル以上のときに切替電圧によって第一のスイッチトランジスタ３９ａがオフになると第二のスイッチトランジスタ３９ｂもオフとなり、広帯域増幅３３には電源電圧が供給されずに不動作状態となる。同時に、バイパスダイオード３６ａはカソードから広帯域増幅器３３のバイアス回路（抵抗３３ｂ、３３ｃ、３３ｄ）に電流が流れてオンとなる。従って、テレビジョン信号は広帯域増幅器３３を経由せず、変わりにバイパス回路３６を経由して分配器３５に入力される。
【考案の開示】
【考案が解決しようとする課題】
【０００９】
　上記の構成では、ピーキング回路３４における容量素子３４ａはトランジスタ３３ａのコレクタとグランドとの間に接続された状態となっている。従って、バイパス回路３６の出力側はピーキング回路３４のインダクタンス素子３４ｂと容量素子３４ａによって接地されているので、バイパス回路の伝送特性は高域側が減衰するという問題がある。
【００１０】
　本考案では、広帯域増幅器の高域側利得を補正するためのピーキング回路によってバイパス回路の伝送特性が劣化するのを防止することを目的とする。
【課題を解決するための手段】
【００１１】
　上記の課題を解決するために、入力されたテレビジョン信号を増幅する広帯域増幅器と、前記広帯域増幅器の出力側に設けられ、前記広帯域増幅器の高域側の利得を増強するピーキング回路と、前記広帯域増幅器の入力端と前記ピーキング回路の出力端との間に介挿され、前記テレビジョン信号をスルーさせるバイパスダイオードとを備え、前記広帯域増幅器又は前記バイパスダイオードはいずれか一方が前記テレビジョン信号を通過させるように切り替えられ、前記ピーキング回路は前記広帯域増幅器の出力端に一端が接続されて該出力端をシャントする容量素子を少なくとも有し、前記広帯域増幅器の動作時には前記容量素子の他端を接地し、前記バイパスダイオードのオン時には前記容量素子の他端を接地から切り離した。
【００１２】
　また、前記広帯域増幅器の動作切替と前記バイパスダイオードのオン／オフ切替を行う切替回路を有し、前記バイパスダイオードのアノードにバイアス電圧を印加すると共にカソードを直流的に接地し、前記切替回路はエミッタが接地され、ベースに切替電圧が入力されるＮＰＮ型の第一のスイッチトランジスタと、エミッタに電源電圧が印加され、コレクタが前記広帯域増幅器の増幅素子と前記バイパスダイオードのカソードに接続され、ベースが前記第一のスイッチトランジスタのコレクタに接続されたＰＮＰ型の第二のスイッチトランジスタとを有し、前記容量素子の端を前記第一のスイッチトランジスタのコレクタに接続した。
【００１３】
　また、前記増幅素子にはバイアス回路からバイアス電圧を供給し、前記バイパスダイオードのカソードを前記バイアス回路を介して接地した。
【００１４】
　また、前記テレビジョン信号に同調可能な入力同調回路を有し、前記ピーキング回路の出力端に分配器を接続し、一方の分配出力を前記入力同調回路に接続し、他方の分配出力を外部接続用のコネクタに接続した。
【考案の効果】
【００１５】
　本考案では、広帯域増幅器と、広帯域増幅器の出力側に設けられたピーキング回路と、広帯域増幅器の入力端とピーキング回路の出力端との間に介挿されたバイパスダイオードとを備え、広帯域増幅器又はバイパスダイオードはいずれか一方がテレビジョン信号を通過させるように切り替えられ、ピーキング回路は広帯域増幅器の出力端に一端が接続されて該出力端をシャントする容量素子を少なくとも有し、広帯域増幅器の動作時には容量素子の他端を接地し、バイパスダイオードのオン時には容量素子の他端を接地から切り離したので、広帯域増幅器の高域側利得を補正するためのピーキング回路によってバイパス回路の伝送特性が劣化するのを防止することができる。
【００１６】
　また、広帯域増幅器の動作切替とバイパスダイオードのオン／オフ切替を行う切替回路を有し、切替回路はエミッタが接地され、ベースに切替電圧が入力されるＮＰＮ型の第一のスイッチトランジスタと、エミッタに電源電圧が印加され、コレクタが広帯域増幅器の増幅素子とバイパスダイオードのカソードに接続され、ベースが第一のスイッチトランジスタのコレクタに接続されたＰＮＰ型の第二のスイッチトランジスタとを有し、容量素子の端を第一のスイッチトランジスタのコレクタに接続したので、バイパスダイオードをオンしたときはピーキング回路における容量素子の他端を接地から切り離すことができる。また、広帯域増幅器の動作時には容量素子の他端は接地される。
【００１７】
　また、増幅素子にはバイアス回路からバイアス電圧を供給し、バイパスダイオードのカソードをバイアス回路を介して接地したので、カソードを接地するための抵抗回路を設ける必要がなくなり、部品点数が削減できる。
【００１８】
　また、テレビジョン信号に同調可能な入力同調回路を有し、ピーキング回路の出力端に分配器を接続し、一方の分配出力を入力同調回路に接続し、他方の分配出力を外部接続用のコネクタに接続したので、コネクタから出力されるテレビジョン及び入力同調回路に入力されるテレビジョン信号を広帯域にわたってフラットにすることができる。
【考案を実施するための最良の形態】
【００１９】
　次に、本考案のテレビジョンチューナを図１によって説明する。アンテナ接続端子１には中間周波減衰フィルタ等が構成されたフィルタ回路２が接続される。フィルタ回路２の次段には広帯域増幅器３が設けられ、広帯域増幅器３の出力側にはピーキング回路４が接続される。また、ピーキング回路４には分配器５が結合される。そして、広帯域増幅器３の入力端とピーキング回路４の出力端との間にはバイパス回路６が介挿される。
【００２０】
　広帯域増幅器３は増幅用のトランジスタ３ａを有してエミッタ接地増幅器を構成し、そのベースにはバイアス抵抗３３ｂ、３３ｃ、３３ｄによって構成されたバイアス回路３３ｅからバイアス電圧が印加される。トランジスタ３ａのコレクタに接続されるピーキング回路４は広帯域増幅器３の高域側の利得を大きくするように補正し、広帯域増幅器３の出力端であるトランジスタ３ａのコレクタをシャントするための容量素子４ａと、容量素子４ａと共にＬ型回路を構成してコレクタと分配器５との間に直列に介挿されたインダクタンス素子４ｂとからなり、容量素子４ａとインダクタンス素子４ｂの各一端はトランジスタ３ａのコレクタに接続される。そして、広帯域増幅器３は入力されたテレビジョン信号が所定レベル以下の時にこれを増幅する。
【００２１】
　バイパス回路６はバイパスダイオード６ａを有し、そのアノードは分配器５に結合され、カソードは広帯域増幅器３の入力端に結合される。そして、バイパス回路６はテレビジョン信号が所定レベル以上の時にバイパスダイオード６ａがオンとなってテレビジョン信号を分配器５に出力する。
【００２２】
　分配器５の一方の分配出力は入力同調回路７に結合され、他方の分配出力はコネクタ８に接続される。コネクタ８には図示しない他のチューナ等が接続される。入力同調回路７はスイッチダイオード７ａを有し、受信バンドに対応して同調周波数帯が切り替えられる。その切替のために必要なバイアス電圧は入力同調回路７で作られてスイッチダイオード７ａに印加されている。このバイアス電圧はバイパスダイオード６ａのアノードにも印加される。
【００２３】
　広帯域増幅器３の動作切替と、バイパスダイオード６ａのオン／オフ切替は切替回路９によって制御される。切替回路９はＮＰＮ型の第一のスイッチトランジスタ９ａとＰＮＰ型の第二のスイッチトランジスタ９ｂとを有し、第一のスイッチトランジスタ９ａのエミッタは接地され、ベースに切替電圧Ｅｓが印加される。第二のスイッチトランジスタ９ｂのエミッタには電源電圧Ｖｃｃが印加され、ベースは第一のスイッチトランジスタ９ａのコレクタに接続される。そして、コレクタの電圧が給電用のインダクタンス素子１０とピーキング回路４とを介してトランジスタ３ａのコレクタに供給される。さらに、コレクタの電圧はバイアス回路３ｅのバイアス抵抗３ｂ、３ｃ、３ｄにも供給される。また、バイパスダイオード６ａのカソードは第二のスイッチトランジスタ９ｂのコレクタに接続される。
【００２４】
　ここで、ピーキング回路４における容量素子４ａの他端は切替回路９における第一のスイッチトランジスタ９ａのコレクタに接続される。
【００２５】
　以上の構成において、テレビジョン信号が所定レベル以下のときには切替電圧によって第一のスイッチトランジスタ９ａがオンされる。すると、第二のスイッチトランジスタ９ｂもオンとなり、広帯域増幅３は電源電圧が供給されて動作状態となる。この時、ピーキング回路４における容量素子４ａの他端は第一のスイッチトランジスタ９ａがオンとなることで高周波的に接地される。同時に、バイパスダイオード６ａはカソードに電源電圧が印加されるのでオフとなる。従って、テレビジョン信号は広帯域増幅器３によって増幅され、高域側の利得がピーキング回路４によって補正されて分配器５に入力される。
【００２６】
　一方、テレビジョン信号が所定レベル以上のときには切替電圧によって第一のスイッチトランジスタ９ａがオフになる。すると、第二のスイッチトランジスタ９ｂもオフとなり、広帯域増幅３には電源電圧が供給されずに不動作状態となる。同時に、バイパスダイオード６ａはカソードから広帯域増幅器３のバイアス回路３ｅに電流が流れてオンとなる。従って、テレビジョン信号は広帯域増幅器３を経由せず、変わりにバイパス回路６を経由して分配器５に入力される。このとき、ピーキング回路４における容量素子４ａの他端は、第一のスイッチトランジスタ９ａがオフであるので、高周波的にはグランドから切り離された状態となり、ピーキング回路４はバイパス回路の伝送特性には影響を及ぼさない。
【図面の簡単な説明】
【００２７】
【図１】本考案のテレビジョンチューナの構成を示す回路図である。
【図２】従来のテレビジョンチューナの構成を示す回路図である。
【符号の説明】
【００２８】
　１：アンテナ接続端子
　２：フィルタ回路
　３：広帯域増幅器
　３ａ：増幅トランジスタ
　３ｂ、３ｃ、３ｄ：バイアス抵抗
　３ｅ：バイアス回路
　４：ピーキング回路
　４ａ：容量素子
　４ｂ：インダクタンス素子
　５：分配器
　６：バイパス回路
　６ａ：バイパスダイオード
　７：入力同調回路
　７ａ：スイッチダイオード
　８：コネクタ
　９：切替回路
　９ａ：第一のスイッチトランジスタ
　９ｂ：第二のスイッチトランジスタ
　１０：インダクタンス素子
【図１】
0003099778.tif 000003
【図２】
0003099778.tif 000004